(57)【要約】    【課題】同一感知器回線に接続した火災感知器の発報による共通の火災信号の送信による感知器回線電圧の低下による機能停止を防止する。    【解決手段】受信機から引き出された感知器回線に複数の火災感知器を接続したＰ型の火災報知システムである。火災感知器は、受信機からの送信停止命令信号２６を受信する前は火災を検出して発報した際に共通の火災信号を送信し、受信機からの送信停止命令信号２６を受信した後は火災を検出して発報した際の共通の火災信号の送信を停止する。受信機は、火災感知器から送信された共通の火災信号を感知器回線単位に受信して警報すると共に、同一感知器回線から受信した共通の火災信号の発報検出数が所定数に達した場合に、感知器回線に共通の火災信号の送信を停止させる送信停止命令信号２６を出力する。    【選択図】      図４
2006004139.tif 000002
【特許請求の範囲】
【請求項１】
受信機から引き出された感知器回線に複数の火災感知器を接続した火災報知システムに於いて、
前記火災感知器は、前記受信機からの送信停止命令を受信する前は火災を検出して発報した際に共通の火災信号を送信し、前記受信機からの送信停止命令を受信した後は火災を検出して発報した際の共通の火災信号の送信を停止する発報制御部を備え、
前記受信機は、
前記火災感知器から送信された共通の火災信号を感知器回線単位に受信して警報する受信制御部と、
同一感知器回線から受信した共通の火災信号の発報検出数が所定数に達した場合に、感知器回線に共通の火災信号の送信を停止させる送信停止命令を出力する命令出力部と、
を備えたことを特徴とする火災報知システム。
【請求項２】
請求項１記載の火災報知システムに於いて、前記受信機の命令出力部は、同一感知器回線から受信した共通の火災信号を１報受信した場合に、前記感知器回線に共通の火災信号の送信を停止させる送信停止命令を出力して２報目以降の共通の火災信号の送信を停止させることを特徴とする火災報知システム。
【請求項３】
受信機から引き出された感知器回線に複数の火災感知器を接続した火災報知システムに於いて、
前記火災感知器は、火災を検出して共通の火災信号を送信しているときに前記受信機からの送信停止命令を受信した際に、共通の火災信号の送信を停止する発報制御部を備え、
前記受信機は、
前記火災感知器から送信された共通の火災信号を感知器回線単位に受信して警報する受信制御と、
同一感知器回線から受信した共通の火災信号を発報検出数が所定数に達した場合に、感知器回線に共通の火災信号の送信を停止させる送信停止命令を出力する命令出力部と、
を備えたことを特徴とする火災報知システム。
【請求項４】
請求項３記載の火災報知システムに於いて、前記火災感知器が送信停止命令を受信した場合に、自己が第１報目の火災感知器の場合は共通の火災信号を継続して送信し、自己が第１報目でない場合には共通の火災信号の送信を停止することを特徴する火災報知システム。
【発明の詳細な説明】
【技術分野】
【０００１】
本発明は、受信機から引き出された感知器回線に複数の火災感知器を接続し、回線単位に火災感知器の発報を受信して警報する火災報知システムに関する。
【背景技術】
【０００２】
従来、Ｐ型として知られた火災報知システムにあっては、受信機から引き出された感知器回線に複数の火災感知器を接続し、回線単位に火災感知器からの発報信号を受信して火災を警報するようにしている。
【０００３】
一方、Ｒ型として知られた火災報知システムにあっては、受信機から引き出された伝送路に、伝送機能を備えた中継器やアナログ火災感知器等の端末装置を接続し、火災検出時には例えば端末装置からの火災割込みに基づき、検索コマンドを発行して発報した端末装置のアドレスを特定し、火災発生アドレスを表示すると共に、特定した端末装置から火災データを収集して監視するようにしている。
【０００４】
このように火災を検出した火災感知器や中継器のアドレスが分かると、適切な避難誘導や消火活動が可能となり、特に規模の大きな設備の火災監視には不可欠な機能となっている。
【０００５】
しかし、Ｐ型の火災報知システムにおいては、受信機ではどの感知器回線が火災発報したかが判るが、発報した感知器回線に接続された複数の感知器の中のどの感知器が発報したのかは判らない。
【０００６】
そこで、近年、Ｐ型の火災報知システムについても、発報した火災感知器からアドレス信号を送信して発報した火災感知器を特定できるようにしている。図７は従来のＰ型火災報知システムにおける火災発報時の感知器回線電圧と火災感知器のスイッチング回路のタイムチャートである。
【０００７】
同じ感知器回線に接続している複数の火災感知器のうち、例えば図７（Ｂ）のようにアドレス２番を設定した火災感知器が時刻ｔ１で火災を検出して発報したとすると、発報した火災感知器に設けているスイッチング回路をオンすることで感知器回線に共通の火災信号としての発報電流を流し、このため図７（Ａ）の感知器回線の電圧が低下する。続いて図７（Ｃ）のようにアドレス３番を設定した火災感知器が発報して共通の火災信号を送信すると、これにより感知器回線電圧は更に低下する。
【０００８】
受信機にあっては、時刻ｔ１で火災発報したアドレス２番の火災感知器から送信された共通の火災信号、即ち受信機から発報した火災感知器に流れる発報電流を受信して警報を行い、必要があれば火災の共通信号に続いて受信されるアドレス信号から発報した火災感知器アドレスを特定して火災発生地区などの必要な表示を行う。
【特許文献１】特開２００１−１８４５７１号公報
【発明の開示】
【発明が解決しようとする課題】
【０００９】
しかしながら、このような従来の発報した火災感知器から共通の火災信号を送信するようにしたＰ型火災報知システムにあっては、更に図７（Ｄ）（Ｅ）のように、アドレス５およびアドレス７の火災感知器が次々と火災を検出して共通の火災信号を送信すると、感知器回線に流れる電流が増加し、火災感知器に供給している電源電圧が大きく低下し、火災感知動作や受信機との通信が不能になってしまう問題がある。
【００１０】
本発明は、同一感知器回線に接続した火災感知器の発報による共通の火災信号の送信による感知器回線電圧の低下による機能停止を防止するＰ型の火災報知システムを提供することを目的とする。
【課題を解決するための手段】
【００１１】
この目的を達成するため本発明は次のように構成する。本発明は、受信機から引き出された感知器回線に複数の火災感知器を接続した火災報知システムに於いて、火災感知器は、受信機からの送信停止命令を受信する前は火災を検出して発報した際に共通の火災信号を送信し、受信機からの送信停止命令を受信した後は火災を検出して発報した際の共通の火災信号の送信を停止する発報制御部を備え、受信機は、火災感知器から送信された共通の火災信号を感知器回線単位に受信して警報する受信制御部と、同一感知器回線から受信した共通の火災信号の発報検出数が所定数に達した場合に、感知器回線に共通の火災信号の送信を停止させる送信停止命令を出力する命令出力部を備えたことを特徴とする。
【００１２】
ここで受信機の命令出力部は、例えば同一感知器回線から受信した共通の火災信号を１報受信した場合に、感知器回線に共通の火災信号の送信を停止させる送信停止命令を出力して２報目以降の共通の火災信号の送信を停止する。
【００１３】
また本発明の別の形態にあっては、複数の火災感知器を接続した火災報知システムに於いて、火災感知器は、火災を検出して共通の火災信号を送信しているときに受信機からの送信停止命令を受信した際に、共通の火災信号の送信を停止する発報制御部を備え、受信機は、火災感知器から送信された共通の火災信号を感知器回線単位に受信して警報する受信制御と、同一感知器回線から受信した共通の火災信号を発報検出数が所定数に達した場合に、感知器回線に共通の火災信号の送信を停止させる送信停止命令を出力する命令出力部とを備えたことを特徴とする。
【００１４】
この場合にも、火災感知器が送信停止命令を受信した場合に、自己が第1報目の火災感知器の場合は共通の火災信号を継続して送信し、自己が第1報目でない場合には共通の火災信号の送信を停止する。
【発明の効果】
【００１５】
本発明によれば、火災感知器からの送信停止命令の出力によって同一感知器回線で共通の火災信号を送信する発報した火災感知器の数を制限することができ、同一感知器回線で多数の火災感知器が次々と火災発報しても例えば２報目までは共通の火災信号を送信させるが、３報目以降については共通の火災信号の送信を停止させることができ、共通の火災信号の送信による感知回線の電圧低下を火災感知器が動作可能な許容電源電圧を下回わらないようにし、感知器回線で火災感知器に供給している電源電圧の低下によって火災感知や受信機との通信が不能となることを確実に防止し、システムの信頼性を向上できる。
【発明を実施するための最良の形態】
【００１６】
図１は本発明による火災報知システムの説明図である。図１において、受信機１からは感知器回線２−１、２−２、・・・２−ｍが引き出され、それぞれＮｏ．１〜ｎで示すアドレスを設定したｎ台の火災感知器３を終端抵抗４と共に接続している。感知器回線２−１〜２−ｍに接続される火災感知器３としては、煙感知器、熱感知器等の各種の火災感知器を接続することができる。
【００１７】
受信機１には受信機用のＭＰＵ５が設けられ、ＭＰＵ５に対しては操作部７、警報表示部８、地区表示部９、移報出力部１０及びメモリ１１が設けられている。またＭＰＵ５の感知器回線側には回線単位に受信回路部６−１、６−２、・・・６−ｍが設けられており、受信回路部６−１〜６−ｍのそれぞれより感知器回線２−１、２−２・・・２−ｍが引き出されている。
【００１８】
受信回路部６−１〜６−ｍは、感知器回線２−１〜２−ｍに接続している火災感知器３の火災発報により共通の火災信号として送信される発報電流を受信すると共に、共通の火災信号の送信状態、即ち発報電流が感知器回線に流れている状態で送信されるアドレス信号を受信する。
【００１９】
受信機１のＭＰＵ５には受信制御部１２と命令出力部２５の機能が設けられる。受信制御部１２は、受信回路部６−１〜６−ｍの受信信号を順次読込み、回線単位に共通の火災信号を判別して警報表示、即ち火災代表表示と地区表示（発報回線表示）を行う。
【００２０】
命令出力部２５は、同一感知器回線から受信した共通の火災信号の発報検出数が所定数に達した場合に、対応する感知器回線に共通の火災信号の送信を停止させる送信停止命令を出力する。この送信停止命令を出力するため、受信回路部６−１〜６−ｍ側に命令出力回路２４−１〜２４−ｍが設けられ、命令出力部２５からの指示で対応する感知器回線２−１〜２−ｍに所定のコードビットのパルス列でなる送信停止命令を出力する。
【００２１】
受信機１の命令出力部１２による送信停止命令の出力機能に対応して火災感知器３には、受信機１からの送信停止命令を受信する前は火災を検出して発報した際に共通の火災信号を送信し、受信機１からの送信停止命令を受信した後は火災を検出して発報した際の共通の火災信号の送信を停止する機能が設けられている。
【００２２】
図２は、図１の火災感知器３の実施形態であり、散乱光式の煙感知器を例にとっている。図２において、火災感知器３は、整流回路ノイズ吸収回路１３、スイッチング回路１４、定電圧・電流制限回路１５、作動表示灯１６、アドレス設定回路１７、ＣＰＵで構成された発報制御部１８、発振回路１９、発光素子２０、受光素子２１、増幅回路２２、および比較回路２３で構成される。
【００２３】
ここで、整流回路・ノイズ吸収回路１３は、例えばダイオードブリッジ、ツェナーダイオード、コンデンサ等により回線Ｌ、Ｃ間の電流を無極性化し、更にノイズを抑える。定電圧・電流制限回路１５は、回線Ｌ、Ｃ上の過渡電流を防止するため後段の回路部に対する供給電流を一定値に制限する。
【００２４】
通常監視時、発振回路１９により発光素子２０がパルス駆動され、周期的に発光させる。火災により煙が発生すると、発光素子２０からの光は煙により散乱して受光素子２１に入射する。入射した光は光電流に変換され、増幅回路２２で信号増幅された後、比較回路２３へ信号が入力される。
【００２５】
この信号が規定値を越えている場合、発光素子２０に同期して発報制御部１８でカウントを行ない、所定カウント数に達したときスイッチング回路１４に信号を送信する。スイッチング回路１４はこれを受けてスイッチングし、共通の火災信号としての発報電流を感知器回線のＬ、Ｃの間に流す。また発報制御部１８は同時に作動表示灯１６を点灯させる。
【００２６】
発報制御部１８は定電圧・電流制限回路１５の入力側を取りこむことで感知器回線の信号状態を監視しており、受信機１からの送信停止命令を受信する前は火災を検出して発報した際に共通の火災信号を送信するが、受信機１からの送信停止命令を受信した後は火災を検出して発報しても共通の火災信号を送信せずに停止する。
【００２７】
図３は図１の感知器回線の１つを取り出して本発明による火災発報制御機能を示した説明図である。図３において、受信機１から引き出された感知器回線２には、Ｎｏ．１〜Ｎｏ．ｎで示すアドレス１〜ｎをそれぞれ設定した火災感知器３が接続されている。
【００２８】
火災感知器３については発報制御部１８とスイッチング回路１４を取り出して示しており、スイッチング回路１４は抵抗Ｒ１とトランジスタＱ１を感知器回線２間に直列接続している。
【００２９】
受信機１は受信回路部６と命令出力回路２４を備える。受信機１の電源電圧＋Ｖｃｃの電源ラインは、受信抵抗Ｒ２を介して感知器回線２のプラス側（Ｌ側）に接続され、感知器回線２に電源電圧を供給している。また命令出力回路２４の出力にはトランジスタＱ２が設けられ、トランジスタＱ２は出力抵抗Ｒ３と直列接続されて、感知器回線２を接続した端子Ｌ、Ｃ間に接続されている。
【００３０】
火災感知器３は火災を検出して発報すると、発報制御部１８からの発報信号によりスイッチング回路１４のトランジスタＱ１をオンし、抵抗Ｒ１を感知器回線２間に接続することで、受信機１の受信抵抗Ｒ２及び発報した火災感知器の抵抗Ｒ１を介して感知器回線２に発報電流を流し、これによって共通の火災信号を受信機１に送出する。
【００３１】
受信機１にあっては、受信回路部６の受信出力から図１に示したＭＰＵ５の命令出力部２５が同じ感知器回線２に接続している火災感知器３の発報数、即ち共通の火災信号の受信数をカウントしており、予め定めた発報数例えば３報目の発報を検出すると、命令出力回路２４に対し共通の火災信号の送信を停止させるための送信停止命令の出力を指示する。
【００３２】
この送信停止命令の出力指示を受けて命令出力回路２４は、トランジスタＱ２をオン、オフすることで、抵抗Ｒ３を感知器回線２間に断接し、抵抗Ｒ３を接続したことで、受信抵抗Ｒ２から流れる電流により感知器回線２の電圧を低下させ、これによる電圧変化のパルス信号として送信停止命令信号を感知器回線２に出力する。
【００３３】
受信機１から送信停止命令信号が感知器回線２に出力されると、非発報状態にある火災感知器３にあっては、感知器回線２の信号状態を取り込むことで、受信機１から送信された送信停止命令信号を解読し、解読後に火災を検出して発報しても、共通の火災信号の送信、即ち発報制御部１８によるトランジスタＱ１のオン動作を停止するようにしている。
【００３４】
図４は図３における火災発報時の共通の火災信号の送信動作を示したタイムチャートであり、アドレス２、アドレス３、アドレス５を設定した火災感知器の順番に火災感知が行われた場合を例に取っている。なお図４（Ａ）は感知器回線電圧、図４（Ｂ）は命令出力回路２４のトランジスタＱ２のオンオフ動作、図４（Ｃ）（Ｄ）（Ｅ）はアドレス２、３、５の各火災感知器におけるスイッチング回路１４のトランジスタＱ１のオンオフ動作を示している。
【００３５】
図４において、時刻ｔ１でアドレス２の火災感知器が火災を検出すると、トランジスタＱ１が図４（Ｃ）のようにオンし、感知器回線２に共通の火災信号を出力する。これによって感知器回線電圧は、図４（Ａ）に示すように、アドレス２の火災感知器のトランジスタＱ１のオンにより流れる発報電流による受信抵抗Ｒ２の電圧降下分だけ感知木回線電圧が低下する。
【００３６】
次に、時刻ｔ２でアドレス３の火災感知器で火災検出が行われると、図４（Ｄ）のように、そのトランジスタＱ１がオンする。これにより感知器回線電圧は更に低下する。
【００３７】
受信機１にあっては、時刻ｔ１における１報目の共通の火災信号の送信及び時刻ｔ２における２報目の共通の火災信号の送信を受信回路部６から読み込んで、発報検出数が２報目に達したことを時刻ｔ２で判別し、予め設定した発報数に達したことから、時刻ｔ３で命令出力回路２４に対する命令出力部２５からの指示によりトランジスタＱ２を図４（Ｂ）のようにオン、オフして、例えばトランジスタＱ２を３回オン、オフすることによって、送信停止命令信号２４を感知器回線２に出力する。
【００３８】
この命令出力回路２４によるトランジスタＱ２のオン、オフにより送信停止命令信号２５が出力されると、感知器回線電圧は送信停止命令信号２６の出力動作におけるトランジスタＱ２のオンタイミングで、電圧が３回低下したパルス列となる送信停止命令信号が感知器回線上に送られる。
【００３９】
これにより、既に火災検出により共通の火災信号を送信しているアドレス２及びアドレス３の火災感知器以外の火災感知器３は、受信機１から出力された送信停止命令信号２６を受信解読し、自己の火災検出による発報動作において共通の火災信号の送信を停止させる。
【００４０】
このため時刻ｔ４でアドレス５の火災感知器で火災検出が行われても、既に受信機１から送信停止命令信号が受信されていることから、共通の火災信号の送信は行われない。この結果、感知器回線２に接続されている複数の火災感知器が次々と火災感知により発報しても、受信機１側に設定している許容発報数である２報目までしか火災感知器３から共通の火災信号が送信されず、３報目以降については共通の火災信号の送信が停止され、多数の火災感知器３の作動により共通の火災信号が送出されて感知器回線電圧が大きく低下し、火災感知器３に対する電源電圧の低下で火災感知や受信機との通信が不能になることを未然に防止できる。
【００４１】
図５は本発明の火災感知器による発報制御処理を示したフローチャートである。図５において、ステップＳ１で自己の火災発報の有無をチェックしており、火災発報がない場合にはステップＳ２に進み、感知器回線の信号状態を読み込み、ステップＳ３で受信機からの共通の火災信号の送信停止命令があるか否かチェックし、もし送信停止命令があれば、ステップＳ４で共通の火災信号の送信停止を設定する。なお、すでに発報している火災感知器は、送信停止命令を受信してもこれを無視して共通の火災信号を継続して送信する。
【００４２】
ステップＳ１で自己の火災発報を判別した場合には、ステップＳ５に進み、共通の火災信号の送信停止の設定が行われているか否かチェックし、行われていなければ、ステップＳ６で共通の火災信号を送信する。共通の火災信号の送信停止の設定が行われていた場合には、ステップＳ６をスキップして共通の火災信号は送信しない。続いてステップＳ７で火災復旧の有無をチェックしており、火災復旧があれば、ステップＳ８で初期化処理を行った後、ステップＳ１の処理に戻る。
【００４３】
図６は本発明の受信機による受信制御処理を示したフローチャートである。図６において、ステップＳ１で図１に示した受信回路部６−１〜６−ｎごとに感知器回線の信号状態を順次読み込み、ステップＳ２で共通の火災信号の受信の有無をチェックしている。
【００４４】
ステップＳ２で共通の火災信号の受信が判別されると、ステップＳ３に進み、代表火災表示を行うと共に、受信した感知器回線に対応した地区表示を行う。続いてステップＳ４で、受信した共通の火災信号が３報目未満か否かチェックしており、１報目にあってはステップＳ５の処理をスキップするが、２報目を判別した場合にはステップＳ５に進んで共通の火災信号の送信停止命令を送信する。
【００４５】
続いてステップＳ６で火災復旧を判別しており、火災復旧があるまでステップＳ１からの処理を繰り返す。火災復旧が判別されると、ステップＳ７で復旧処理を行った後、ステップＳ１に戻る。
【００４６】
なお上記の実施形態は火災を検出した火災感知器から共通の火災信号のみを受信機１に送信する場合を例に取るものであったが、共通の火災信号に続いてアドレス信号を送信し、受信機１側で感知器アドレスを識別して表示あるいは制御を行うようにしてもよい。この場合、受信機１から送信停止命令が出力された後については共通の火災信号は送信されないことから、アドレス信号のみを送信すればよい。
【００４７】
また、上記の実施形態においては、３報目以降の発報に対して送信停止を行っているが、これに限らず、２報目以降送信停止するなどしても良く、火災監視が出来る状態であれば任意の数に設定しても良い。
【００４８】
また、上記実施例においては、火災感知器が送信停止命令を受信した場合には、それ以後発報した火災感知器は共通の火災信号を送信しないようにしているが、送信停止命令を受けた場合に既に発報していて自己が第2報目以降に発報した火災感知器である場合には、共通の火災信号の送信を停止し、第1報のみが共通の火災信号を送信した状態になり、その後まだ発報していなかった他の火災感知器が発報した場合には共通の火災信号を送信できる状態にしても良い。
【００４９】
そして、その後再び所定数以上の火災感知器が同時に発報している状態になった場合は、再度送信停止信号を送信して第1報のみが共通の火災信号を送信している状態に設定にするようにしても良い。
【００５０】
この実施形態では感知器の発報個数を受信機で認識することができる。火災感知器がアドレスを送信できるものであれば、火災感知器の発報順序を継続して認識することができる。
【００５１】
また本発明は、その目的と利点を損なうことのない適宜の変形を含み、更に上記の実施形態に示した数値による限定は受けない。
【図面の簡単な説明】
【００５２】
【図１】本発明が適用される火災報知システムの説明図
【図２】図１の火災感知器の実施形態を示した説明図
【図３】図１の感知器回線の１つを取り出して本発明による火災発報制御機能を示した説明図
【図４】図３における火災発報時の共通の火災信号の送信動作を示したタイムチャート
【図５】本発明の火災感知器による発報制御処理を示したフローチャート
【図６】本発明の受信機による受信制御処理を示したフローチャート
【図７】従来システムにおける共通の火災信号の送信動作を示したタイムチャート
【符号の説明】
【００５３】
１：受信機
２−１〜２−ｍ：感知器回線
３：火災感知器
４：終端抵抗
５：ＭＰＵ
６−１〜６−ｍ：受信回路部
７：操作部
８：警報表示部
９：地区表示部
１０：移報出力部
１１：メモリ
１２：受信制御部
１３：整流回路・ノイズ吸収回路
１４：スイッチング回路
１５：定電圧・電流制限回路
１６：作動表示灯
１７：アドレス設定回路
１８：発報制御部
１９：発振回路
２０：発光素子
２１：受光素子
２２：増幅回路
２３：比較回路
２４、２４−１〜２４−ｍ：命令出力回路
２５：命令出力部
２６：送信停止命令信号
【図１】
2006004139.tif 000003
【図２】
2006004139.tif 000004
【図３】
2006004139.tif 000005
【図４】
2006004139.tif 000006
【図５】
2006004139.tif 000007
【図６】
2006004139.tif 000008
【図７】
2006004139.tif 000009